(57)【要約】【課題】治療用アプリを用いた治療法の実施を支援するためのシステムを提供すること。【解決手段】ユーザに発生したライフイベントに基づいて治療用アプリを用いた治療法の実施を支援するためのシステムであって、ユーザに発生したライフイベントを示すライフイベント情報を取得し、ライフイベント情報に基づいて、前記ユーザに発生したライフイベントの衝撃度を取得し、衝撃度に基づいて、ユーザが実行可能と推定される最大実行可能負荷を決定し、最大実行可能負荷、ユーザの健康関連情報、及び治療用アプリを用いた治療法の治療負荷に基づいて、ユーザに対して実施を提案する治療用アプリを用いた治療法を決定する、または、ユーザの健康関連情報に基づいて決定されたユーザが使用する治療用アプリのシステムへ、当該治療用アプリを用いて実施される治療法の決定に用いるために前記最大実行可能負荷を提供する、システム。【選択図】図１
2022001980.tif 000002
【特許請求の範囲】
【請求項１】
ユーザに発生したライフイベントに基づいて治療用アプリを用いた治療法の実施を支援するためのシステムであって、ユーザの健康関連情報を記憶する健康関連情報記憶部、及び複数のライフイベントの各々がユーザに与える衝撃の大きさを示す衝撃度を記憶する衝撃度記憶部を備え、前記システムは、
ユーザに発生したライフイベントを示すライフイベント情報を取得し、
前記ライフイベント情報に基づいて、前記ユーザに発生したライフイベントの衝撃度を前記衝撃度記憶部より取得し、
前記衝撃度に基づいて、ユーザが実行可能と推定される最大実行可能負荷を決定し、
前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、
ことを特徴とするシステム。
【請求項２】
前記システムは更に、
前記ライフイベント情報を取得すると、前記ライフイベントに対するユーザの認知を取得するための認知問合せ情報を提示し、
前記認知問合せ情報に対するユーザの回答情報を取得し、
前記最大実行負荷を決定することは、前記取得されたユーザの回答情報に基づいて前記衝撃度を補正し、当該補正された衝撃度に基づいて最大実行負荷を決定することを含む、
ことを特徴とする請求項１に記載のシステム。
【請求項３】
前記認知問合せ情報は、ユーザの認知を正すための認知介入情報を含む、請求項２に記載のシステム。
【請求項４】
前記最大実行負荷を決定することは、衝撃度に基づいてユーザの動機値を決定し、ユーザの技能を示す技能値及びユーザの動機値に基づいて最大実行可能負荷を決定することを含み、
前記治療用アプリを用いた治療法を決定することは、前記決定された最大実行可能負荷よりも小さい治療負荷を有する治療用アプリを用いた治療法を決定することを含む、請求項２または３に記載のシステム。
【請求項５】
前記最大実行可能負荷を決定することは、下記の数式（１）に基づいて決定され、行動変容閾値は行動変容が発生するための境界を示す値であり、予め定められた定数である、請求項４に記載のシステム。
最大実行可能負荷＝技能値−行動変容閾値／動機値  （１）
【請求項６】
前記決定された治療用アプリを用いた治療法を提案する情報をユーザに提示する、
請求項１〜５に記載のシステム。
【請求項７】
ユーザに発生したライフイベントに基づいて治療用アプリを用いた治療法の実施を支援するためのシステムにおいて実行される方法であって、前記システムは、ユーザの健康関連情報を記憶する健康関連情報記憶部、及び複数のライフイベントの各々がユーザに与える衝撃の大きさを示す衝撃度を記憶する衝撃度記憶部を備え、前記システムは、
ユーザに発生したライフイベントを示すライフイベント情報を取得し、
前記ライフイベント情報に基づいて、前記ユーザに発生したライフイベントの衝撃度を前記衝撃度記憶部より取得し、
前記衝撃度に基づいて、ユーザが実行可能と推定される最大実行可能負荷を決定し、
前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、
ことを含む、ことを特徴とする方法。
【請求項８】
コンピュータに、請求項７の方法を実行させるためのプログラム。
【請求項９】
ユーザに発生したライフイベントに基づいて治療用アプリを用いた治療法の実施を支援するための装置であって、前記システムは、ユーザの健康関連情報を記憶する健康関連情報記憶部、及び複数のライフイベントの各々がユーザに与える衝撃の大きさを示す衝撃度を記憶する衝撃度記憶部を備え、前記装置は、
ユーザに発生したライフイベントを示すライフイベント情報を取得し、
前記ライフイベント情報に基づいて、前記ユーザに発生したライフイベントの衝撃度を前記衝撃度記憶部より取得し、
前記衝撃度に基づいて、ユーザが実行可能と推定される最大実行可能負荷を決定し、
前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、
ことを特徴とする装置。
【発明の詳細な説明】
【技術分野】
【０００１】
本発明は治療用アプリケーション（治療用アプリ）を用いた治療法の実施を支援するためのシステム、方法、プログラム及び装置に関する。
【背景技術】
【０００２】
近年、ユーザの健康に関連する行動を改善したり、疾病の治療や、体調管理などのために用いられる、ユーザ端末を用いて動作する治療用システムが開発されている（先行文献１）。先行文献１に開示されたシステムは、個人から収集したデータに基づいて、健康に関する悪い行動を改善するための行動変容メッセージを、一日単位で順に個人に提供するシステムが開示されている。
【先行技術文献】
【特許文献】
【０００３】
【特許文献１】特開２００１−９２８７６号
【発明の概要】
【発明が解決しようとする課題】
【０００４】
治療法の負荷の大きさは治療法によって異なるが、これまでのシステムは、ユーザがどの程度の治療負荷であれば実行できる状態であるかを考慮せずに、単に疾病に基づいて選択された治療法を実施するだけである。ユーザがどの程度の治療負荷であれば実行できる状態であるかを判定するシステムも実現されていない。このため、治療負荷の大きさが現在のユーザの状態に見合わない場合には、ユーザは治療を止めてしまうことが多い。
【課題を解決するための手段】
【０００５】
本発明は上記の課題に鑑みてなされたものであり、以下のような特徴を有している。すなわち、本発明の一実施態様におけるシステムは、ユーザに発生したライフイベントに基づいて治療用アプリを用いた治療法の実施を支援するためのシステムであって、ユーザの健康関連情報を記憶する健康関連情報記憶部、及び複数のライフイベントの各々がユーザに与える衝撃の大きさを示す衝撃度を記憶する衝撃度記憶部を備え、前記システムは、
ユーザに発生したライフイベントを示すライフイベント情報を取得し、前記ライフイベント情報に基づいて、前記ユーザに発生したライフイベントの衝撃度を前記衝撃度記憶部より取得し、前記衝撃度に基づいて、ユーザが実行可能と推定される最大実行可能負荷を決定し、前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する。
【０００６】
また、前記システムは更に、前記ライフイベント情報を取得すると、前記ライフイベントに対するユーザの認知を取得するための認知問合せ情報を提示し、前記認知問合せ情報に対するユーザの回答情報を取得し、前記最大実行負荷を決定することは、前記取得されたユーザの回答情報に基づいて前記衝撃度を補正し、当該補正された衝撃度に基づいて最大実行負荷を決定することを含むようにしてもよい。
【０００７】
前記認知問合せ情報は、ユーザの認知を正すための認知介入情報を含むことができる。
【０００８】
前記最大実行負荷を決定することは、衝撃度に基づいてユーザの動機値を決定し、ユーザの技能を示す技能値及びユーザの動機値に基づいて最大実行可能負荷を決定することを含み、前記治療用アプリを用いた治療法を決定することは、前記決定された最大実行可能負荷よりも小さい治療負荷を有する治療用アプリを用いた治療法を決定することを含むようにしてもよい。
【０００９】
前記最大実行可能負荷を決定することは、下記の数式（１）に基づいて決定され、行動変容閾値は行動変容が発生するための境界を示す値であり、予め定められた定数としてもよい。
〔数１〕
最大実行可能負荷＝技能値−行動変容閾値／動機値  （１）
【００１０】
前記決定された治療用アプリを用いた治療法を提案する情報をユーザに提示するようにしてもよい。
【００１１】
本発明の一実施態様における方法は、ユーザに発生したライフイベントに基づいて治療用アプリを用いた治療法の実施を支援するためのシステムにおいて実行される方法であって、前記システムは、ユーザの健康関連情報を記憶する健康関連情報記憶部、及び複数のライフイベントの各々がユーザに与える衝撃の大きさを示す衝撃度を記憶する衝撃度記憶部を備え、前記システムは、ユーザに発生したライフイベントを示すライフイベント情報を取得し、前記ライフイベント情報に基づいて、前記ユーザに発生したライフイベントの衝撃度を前記衝撃度記憶部より取得し、前記衝撃度に基づいて、ユーザが実行可能と推定される最大実行可能負荷を決定し、前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、ことを含む。
【００１２】
本発明の一実施態様におけるプログラムは、コンピュータに、前記方法を実行させるためのプログラムとすることができる。
【００１３】
本発明の一実施態様における装置は、ユーザに発生したライフイベントに基づいて治療用アプリを用いた治療法の実施を支援するための装置であって、前記システムは、ユーザの健康関連情報を記憶する健康関連情報記憶部、及び複数のライフイベントの各々がユーザに与える衝撃の大きさを示す衝撃度を記憶する衝撃度記憶部を備え、前記装置は、ユーザに発生したライフイベントを示すライフイベント情報を取得し、前記ライフイベント情報に基づいて、前記ユーザに発生したライフイベントの衝撃度を前記衝撃度記憶部より取得し、前記衝撃度に基づいて、ユーザが実行可能と推定される最大実行可能負荷を決定し、前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する。
【発明の効果】
【００１４】
本発明を用いることにより、ユーザに発生したライフイベントに基づいて推定された最大実行可能負荷を考慮して治療用アプリによる治療法等を提案したり、ユーザが使用する治療用アプリのシステムへ、当該治療用アプリを用いて実施される治療法の決定に用いるために最大実行可能負荷を提供することにより、ユーザの実行可能負荷に見合った治療法に従ってユーザが行動や行動変容を行うことを支援することができる。
【図面の簡単な説明】
【００１５】
【図１】本発明の一実施形態に係るシステムの構成図である。
【図２】本発明の一実施形態に係るユーザ端末、ユーザ情報管理サーバ及び治療法実施支援サーバのハードウェア構成図である。
【図３】本発明の一実施形態に係るユーザ端末、ユーザ情報管理サーバ及び治療法実施支援サーバの機能ブロック図である。
【図４】行動及び行動変容を成功させるための動機と実行技能の関係を示す概念図である。
【図５】本発明の一実施形態に係るフローチャートである。
【発明を実施するための形態】
【００１６】
［第１の実施形態］
図１は本発明のシステム構成図の一例を示す。システム１００はユーザに発生したライフイベントに基づいて治療用アプリを用いた治療法の実施を支援するために使用することができるものであり、ネットワーク１１０、これに接続されるユーザ端末１２０、ユーザ情報管理サーバ１３０、治療法実施支援サーバ１４０、治療用アプリケーションサーバ１５０及び医療従事者端末１６０を備える。
【００１７】
ユーザ端末１２０は本システムのユーザによって操作されるユーザの端末であり、ユーザ情報管理サーバ１３０はユーザの情報を管理するための機能を備えるサーバであり、治療法実施支援サーバ１４０はユーザに適した治療法を提示して、ユーザが治療用アプリを用いた治療法を実施することを支援するためのサーバである。治療用アプリケーションサーバ１５０はユーザ端末１２０にインストールされた治療用アプリを管理するためのサーバである。医療従事者端末１６０は、ユーザの担当医等の医療従事者が使用する端末である。
【００１８】
本実施形態において治療用アプリは、ユーザの健康に関連して好ましい行動をユーザに実行させたり、行動変容によって行動を改善させたり、疾病の治療や体調管理に用いられるアプリケーションを意味するが、ユーザの健康状態を改善するために用いられるものであればどのようなアプリケーションであってもかまわない。治療用アプリは、医療従事者によって提供されたり、医療従事者の管理下において使用されるアプリケーションに限定されない。
【００１９】
図２は本発明の一実施形態によるユーザ端末１２０、ユーザ情報管理サーバ１３０、治療法実施支援サーバ１４０のハードウェア構成を示すブロック図である。ユーザ端末１２０は、プロセッサ１２１、表示装置１２２、入力装置１２３、記憶装置１２４及び通信装置１２５を備える。これらの各構成装置はバス１２８によって接続される。なお、バス１２８と各構成装置との間には必要に応じてインタフェースが介在しているものとする。本実施形態において、ユーザ端末１２０はスマートフォンである。ただし、ユーザ端末１２０は、上記の構成を備えるものであれば、パーソナルコンピュータ、タブレット型コンピュータなどの情報端末とすることができる。
【００２０】
ユーザ情報管理サーバ１３０及び治療法実施支援サーバ１４０もまた同様に、プロセッサ１３１、１４１、表示装置１３２、１４２、入力装置１３３、１４３、記憶装置１３４、１４４及び通信装置１３５、１４５を備える。これらの各構成装置はバス１３８、１４８によって接続される。なお、バス１３８、１４８と各構成装置との間には必要に応じてインタフェースが介在しているものとする。本実施形態においてユーザ情報管理サーバ１３０及び治療法実施支援サーバ１４０はコンピュータによって実現される。
【００２１】
プロセッサ１２１、１３１、１４１は、ユーザ端末１２０、ユーザ情報管理サーバ１３０及び治療法実施支援サーバ１４０全体の動作を制御するものであり、例えばＣＰＵである。プロセッサ１２１、１３１、１４１は、記憶装置１２４、１３４、１４４に格納されているプログラムやデータを読み込んで実行することにより、様々な処理を実行する。１つの例では、プロセッサ１２１、１３１、１４１は、複数のプロセッサから構成される。
【００２２】
表示装置１２２、１３２、１４２は、プロセッサ１２１、１３１、１４１の制御に従って、アプリケーション画面などをユーザ端末１２０のユーザ（患者）、ユーザ情報管理サーバ１３０及び治療法実施支援サーバ１４０のユーザ（管理者）に表示する。好ましくは液晶ディスプレイであるが、有機ＥＬを用いたディスプレイやプラズマディスプレイ等であってもよい。
【００２３】
入力装置１２３、１３３、１４３は、ユーザ端末１２０、ユーザ情報管理サーバ１３０及び治療法実施支援サーバ１４０に対するユーザからの入力を受け付けるユーザインタフェースであり、例えば、タッチパネル、タッチパッド、キーボード、又はマウスである。本実施形態においてユーザ端末１２０はスマートフォンであるため、ユーザ端末１２０は入力装置１２３としてタッチパネルを備え、タッチパネルは表示装置１２２としても機能し、表示装置１２２と入力装置１２３は一体となった構造である。表示装置１２２と入力装置１２３は、別の位置に配置される別個の形態であってもよい。ここでは、ユーザ情報管理サーバ１３０及び治療法実施支援サーバ１４０はコンピュータであるため、入力装置としてキーボード及びマウスを備え、表示装置として液晶ディスプレイを備えるものとする。
【００２４】
記憶装置１２４、１３４、１４４は、揮発性メモリであるＲＡＭ及び不揮発性メモリであるＲＯＭを含む、一般的なスマートフォンないしコンピュータが備える記憶装置である。記憶装置１２４、１３４、１４４は、外部メモリを含むこともできる。例えば記憶装置１２４は、本実施形態を実施するためのユーザアプリケーションを記憶し、記憶装置１３４、１４４はサーバアプリケーションを記憶する。ユーザアプリケーションは、ウェブブラウザアプリケーション、治療用アプリケーション等のユーザプログラム及び該ユーザプログラム実行時に参照する各種データを含む。ユーザプログラムは、ユーザ端末１２０に対するユーザの操作に応じて起動され、ユーザ端末１２０が予め実装するオペレーティングシステム（ＯＳ）上で実行される。サーバ用アプリケーションは各ユーザ端末１２０においてユーザからの入力の受付及びユーザに対する情報の提示がユーザプログラムによって適切に実行されるようにするための機能及び各種データを含む。
【００２５】
１つの例では、記憶装置１２４、１３４、１４４は、主記憶装置及び補助記憶装置を含む。主記憶装置は、情報の高速な読み書きが可能な揮発性の記憶媒体であり、プロセッサ１２１、１３１、１４１が情報を処理する際の記憶領域及び作業領域として用いられる。補助記憶装置は、様々なプログラムや、各プログラムの実行に際してプロセッサ１２１、１３１、１４１が使用するデータを格納する。補助記憶装置は、例えばハードディスク装置であるが、情報を格納できるものであればいかなる不揮発性ストレージ又は不揮発性メモリであってもよく、着脱可能なものであっても構わない。補助記憶装置は、例えば、オペレーティングシステム（ＯＳ）、ミドルウェア、アプリケーションプログラム、これらのプログラムの実行に伴って参照され得る各種データなどを格納する。
【００２６】
通信装置１２５、１３５、１４５は、ネットワーク１１０（図２においては省略）を介して他の装置との間でデータの授受を行う。例えば通信装置１２５、１３５、１４５は、移動体通信や無線ＬＡＮ等の無線通信を行い、ネットワーク１１０へ接続する。ユーザ端末１２０及び医療従事者端末１６０は通信装置１２５及び１３５をそれぞれ用いることで、ネットワークを介してユーザ情報管理サーバ１３０と通信を行う。通信装置１２５、１３５、１４５は、イーサネット（登録商標）ケーブル等を用いた有線通信を行ってもよい。
【００２７】
治療用アプリケーションサーバ１５０のハードウェア構成はユーザ端末１２０と同様であり、医療従事者端末１６０のハードウェア構成はユーザ情報管理サーバ１３０及び治療法実施支援サーバ１４０と同様であるため、図示及び詳細な説明は省略する。
【００２８】
図３は本発明の一実施形態によるユーザ端末１２０、ユーザ情報管理サーバ１３０及び治療法実施支援サーバ１４０の機能ブロック図の一例を示す。ユーザ端末１２０は、制御部３２１、入力部３２２、表示部３２３、通信部３２４、ブラウザ機能部３２５、電子メール機能部３２６及び治療用アプリ機能部３２７を備え、ユーザ情報管理サーバ１３０は、制御部３３１、入力部３３２、表示部３３３、通信部３３４及びユーザ情報記憶部３３５を備え、治療法実施支援サーバ１４０は、制御部３４１、入力部３４２、表示部３４３、通信部３４４、衝撃度記憶部３４５、準備情報記憶部３４６、健康関連情報記憶部３４７及び治療法情報記憶部３４８を備える。
【００２９】
本実施形態においては、プロセッサ１２１、１３１、１４１がプログラムを実行することによりこれらの機能が実現される。例えば実行されるプログラムは、記憶装置１２４、１３４、１４４に記憶されているプログラムである。このように、各種機能がプログラム読み込みにより実現されるため、１つのパート（機能）の一部又は全部を他のパートが有していてもよい。各機能の一部又は全部を実現するための電子回路等を構成することによりハードウェアによってこれらの機能を実現してもよい。
【００３０】
ユーザ端末１２０の制御部３２１は、本実施形態において実行される情報処理の制御処理を行う。入力部３２２は、ユーザ端末１２０のユーザからの入力を受け付ける。表示部３２３は、アプリケーションの機能を制御するためのアプリ用画面を表示し、アプリケーションの機能やユーザ操作に応じたアプリ用画面を表示する。本実施形態においては、入力部３２２及び表示部３２３を備えたタッチパネルを用いることとし、タッチ検出機能によって操作受付部を実現する。通信部３２４は、他のユーザ端末１２０、ユーザ情報管理サーバ１３０及び治療法実施支援サーバ１４０等と有線及び無線通信によって通信を行う。
【００３１】
ブラウザ機能部３２５は、インターネット等のネットワーク１１０を介して接続されるサーバのウェブページ等にアクセスするための一般的なブラウザアプリケーションによって実現される機能である。本実施形態においては、ユーザはブラウザ機能部３２５を用いて、ユーザ情報管理サーバ１３０や治療法実施支援サーバ１４０にアクセスして、ユーザ情報を更新したり、サーバからの通知等をユーザに提示したりする機能を有する。電子メール機能部３２６は、ネットワーク１１０を介して電子メールを送受信する機能を備える。治療用アプリ機能部３２７は、必要に応じて治療用アプリケーションサーバ１５０と通信しながら、ユーザから情報を取得したり、ユーザに対して情報を提示する等によって治療を実施するための機能を有する。
【００３２】
ユーザ情報管理サーバ１３０及び治療法実施支援サーバ１４０の制御部３３１、３４１は、本実施形態において実行される情報処理の制御処理を行う。入力部３３２、３４２は、各サーバのユーザからの入力を受け付け、表示部３３３、３４３は、各サーバのユーザへの情報を表示する。通信部３３４、３４４は、ユーザ端末１２０や他のサーバ等と有線及び無線通信によって通信を行う。
【００３３】
ユーザ情報管理サーバ１３０のユーザ情報記憶部３３５は、ユーザの情報を記憶する。例えば、ユーザの名前、年齢、性別及びユーザに生じたライフイベントに関する情報を記憶する。本実施形態においてユーザ情報管理サーバ１３０は、企業における社員の人事情報を管理、記憶するサーバである。人事情報は、社員であるユーザの名前、年齢、性別に加え、配偶者の有無、子供の有無、勤務地等を含むことができる。ユーザに生じたライフイベントに関する情報として、ユーザの結婚、配偶者や子供との死別、転勤情報を含むことができる。
【００３４】
治療法実施支援サーバ１４０の衝撃度記憶部３４５は、ライフイベントに対する衝撃度を示す情報を記憶する。衝撃度は、ユーザが行動や行動変容を実行するための動機の大きさに影響を与える因子である。各ライフイベントに対して衝撃度の大きさが予め定められる。本実施形態においては、衝撃度記憶部３４５は、ライフイベントとそれに対応する衝撃度の大きさを関連付けるライフイベント-衝撃度表を記憶する。ライフイベント-衝撃度表の一例を表１に示す。
【００３５】
【表１】
2022001980.tif 000003
【００３６】
表１においてＩＤは各ライフイベントに対応付けられた識別情報であり、標準衝撃度は対応付けられるライフイベントに対して予め定められた標準的な衝撃度の大きさを示す。ライフイベントが人に与える衝撃度の大きさは人ごとに異なっている場合があるが、標準的な衝撃度の大きさを定めることはできる。ここでは、各ライフイベントの標準的な衝撃度の大きさとして標準衝撃度を各ライフイベントに対応付けて記憶する。
【００３７】
一般的にライフイベントには肯定的な認知と関連付けられやすいものと、否定的な認知に関連付けられやすいものとがある。例えば、通常、子供の出生は肯定的な挑戦の機会になる一方、配偶者との死別は否定的な逃避傾向を示す。本実施形態においては、否定的な認知に関連付けられるライフイベントに対しては負の値を衝撃度として定め、肯定的な認知に関連付けられるライフイベントに対しては正の値の衝撃度を定める。例えば、ライフイベントＩＤ＝０に対して「配偶者の死」が対応付けられ、その衝撃度は「−９０」である。配偶者の死は一般的には大きな負の衝撃度を与えるものであることを意味する。
【００３８】
治療法実施支援サーバ１４０の準備情報記憶部３４６は、ユーザに治療用アプリを提示する前に衝撃度の補正を行うための準備情報を含む。本実施形態におけるライフイベント-準備情報の一例を表２に示す。
【００３９】
【表２】
2022001980.tif 000004
【００４０】
表２において、ＩＤはライフイベントＩＤであり、ライフイベントＩＤに対して認知問合せ情報としての設問、回答及び各回答に対する衝撃度補正値が予め定められる。例えば、ＩＤ＝０のライフイベントは「配偶者の死」であり、設問は「気持ちを切り替えることができていますか」であり、回答として３つの回答枝「切り替わった」、「どちらともいえない」及び「切り替わらない」が定義され、それぞれに対して衝撃度補正値「-１」、「１」及び「１」が定められている。準備情報として、ユーザが治療用アプリを使用して治療を行うための動機付けを与える認知介入情報を含んでもよい。衝撃度補正値は適宜設定することができ、例えば「切り替わらない」との回答に対しては「２」とし、「どちらとも言えない」との回答の間に差を付けてもよい。
【００４１】
治療法実施支援サーバ１４０の健康関連情報記憶部３４７は、ユーザの健康に関連する健康関連情報を記憶する。例えば、ユーザの性別、年齢、体重、連絡先、薬歴、既往歴や現在煩っている疾病や治療履歴等を含むことができる。治療履歴には現在使用している治療用アプリを示す情報を含むことができる。現在煩っている疾病には、医学的に厳密な意味での病気である必要はなく、喫煙習慣等を含んでもよい。これらの情報は、例えば、治療法実施支援サーバ１４０が提供する治療法実施支援サービスの提供を受けることを許諾したユーザがユーザ端末１２０を介して入力してもよいし、医師等が使用する医療従事者端末１６０を介して入力されてもよい。企業における健康診断によって取得された情報に基づいてもよい。ユーザ情報管理サーバ１３０が記憶する情報は、ユーザ情報管理サーバ１３０の情報を参照してもよい。
【００４２】
治療法情報記憶部３４８は、ユーザに提示する治療法に関する情報を記憶する。本実施形態においては治療法に関する情報は、治療用アプリケーションを特定する情報、各治療用アプリケーションによって実行される治療法を特定する情報及び各治療法の負荷を示す情報を含む。治療法の負荷は、その治療法に従って行動や行動変容を実行するために必要な技能の高さ等を示しており、治療用アプリが提供する情報やコーピングといった技法の習熟の難易度の高さ等に基づいて予め決定される。治療法情報を示す治療法表の一例を表３に示す。
【００４３】
【表３】
2022001980.tif 000005
【００４４】
表３においてＩＤは各治療法に割り当てられた識別情報であり、疾病は各治療法の治療対象である疾病を示し、治療用アプリケーションは治療用アプリケーションを識別する情報であり、治療法は治療用アプリケーションによって実施される治療法を示す情報であり、負荷は治療法の負荷を意味する。例えば、ＩＤ＝０は、喫煙習慣に対する禁煙治療のための治療法であり、アプリＡを用いた治療法αという治療法であり、その負荷は９９であることを意味する。一つの治療用アプリケーションが複数の治療法と対応付けられてもよい。治療法に対する負荷は予め決定されるものである。治療の内容が包括的であるほど治療負荷を大きく設定し、中庸的、限定的であるほど治療負荷が小さくなるように設定することができる。また、治療用アプリのみの情報を含み、そのアプリによって実施される治療法の情報までは含まなくともよい。治療用アプリを特定すればその治療用アプリによって実行される治療法を特定したものと考えることができる。
【００４５】
ユーザ情報管理サーバ１３０におけるユーザ情報記憶部３３５や、治療法実施支援サーバ１４０における衝撃度記憶部３４５、準備情報記憶部３４６、健康関連情報記憶部３４７及び治療法情報記憶部３４８は、各サーバの記憶装置によって実現されてもよいし、各サーバとは別体で用意されたデータベースを用いることによって実現してもよい。
【００４６】
本実施形態においては、各ユーザ端末１２０にウェブブラウザアプリケーション及び治療用アプリケーションがインストールされ、ユーザ情報管理サーバ１３０、治療法実施支援サーバ１４０及び治療用アプリケーションサーバ１５０と通信を行うものとするが、１人のユーザが複数のユーザ端末１２０を有し、それぞれに別々のアプリケーションがインストールされていてもよい。例えば、１つのユーザ端末１２０はブラウザ機能部３２５を備え、ユーザ情報管理サーバ１３０にアクセスして、情報の入力、登録及び閲覧等を行い、他のユーザ端末１２０が治療用アプリ機能部３２７を有し、治療用アプリケーションサーバ１５０と通信を行いながら、治療法を実施してもよい。
【００４７】
治療用アプリケーションサーバ１５０及び医療従事者端末１６０の機能ブロック図は省略するが、治療用アプリケーションサーバ１５０はユーザ端末１２０において治療用アプリケーションが実行されると、定期的に、又は必要に応じてデータの送受信を行い、ユーザ端末１２０において治療用アプリケーションによる治療を実現させ、医療従事者端末１６０は、医療従事者の操作に応じて適宜必要な情報の入力及び出力を行う機能を備える。
【００４８】
図４のグラフ４００は、行動及び行動変容を成功させるための動機と実行技能の関係を示す概念図である。横軸は動機の大きさを示し、縦軸は実行技能の高さを示している。線４０１を境界線として、線４０１の上の領域は、行動や行動変容が成功すると考えられる領域であり、下の領域は失敗すると考えられる領域である。動機が大きければ大きいほど、実行技能は低くても行動及び行動変容の実行を成功させることが可能であり、動機が小さいほど高い実行技能を備えていなければ、行動や行動変容を成功させることはできないことを示している。
【００４９】
治療用アプリを用いた治療法のユーザに対する負荷は治療法毎に異なる。治療用アプリによって要求されるユーザの行動及び行動変容を行うことができなければ効果的な治療を行うことはできない。治療用アプリによる治療法の実施を行う際には、ユーザがその治療法によって行動及び行動変容を実行できる状態になければならない。そして、図４に示すように、ユーザが行動及び行動変容を成功させることができるか否かは、動機の大きさ及び実行技能の高さに依存する。すなわち、ユーザが行動及び行動変容を実行可能な負荷の最大値はそのときのユーザの動機の大きさ及び実行技能の高さに依存する。
【００５０】
動機の大きさは、そのユーザに発生したライフイベントが与える衝撃度に依存して変化するものと考えられる。ライフイベントが与える衝撃度は人によって個人差があるが、一般的に、肯定的な認知と関連付けられやすいものと否定的な認知に関連付けられやすいものがある。例えば、子供の出生は大きな正の衝撃度を与え、肯定的な挑戦の機会になり、配偶者との死別は大きな負の衝撃度を与え、否定的な逃避傾向を示す、といった傾向がある。
【００５１】
本発明は、ライフイベントによってユーザに与えられる衝撃度に基づいてユーザの動機の大きさ（動機値）を推定し、ユーザの最大実行可能負荷を推定し、この推定された最大実行負荷と各治療用アプリを用いた治療法の負荷に基づいて、ユーザに適した治療用アプリを用いた治療法を提示することによって、ユーザによる行動及び行動変容の実行を可能とし、効果的な治療法実施の支援を行う。
【００５２】
図５を用いて、本実施形態における情報処理の流れを説明する。ここでは、ユーザ情報管理サーバ１３０は、企業における人事情報を管理するサーバとする。人事関連システムには、社会保険、各種手当て、祝い金等の支払のため、結婚、離別、子供の出生、転勤などのライフイベントの変化の情報が登録され、更新される。人事情報を管理するサーバをユーザ情報管理サーバ１３０として用いることにより、ユーザのライフイベントの変化を捉えるための情報を正確に取得することが可能である。
【００５３】
社員の健康維持及び増進を図る企業が提携する医療機関等が提供する治療用アプリケーションから社員の現状に適した治療用アプリケーションを提供するために、医療機関等が管理する治療法実施支援サーバ１４０をユーザ情報管理サーバ１３０と接続して人事関連情報を提供するものとする。一つの企業内で治療法実施支援サーバ１４０及び治療用アプリケーションサーバ１５０を用意してもかまわない。
【００５４】
人事情報管理サーバに代えて、またはこれに加えて、ソーシャルメディアのサーバをユーザ情報管理サーバ１３０として利用することもできる。ソーシャルメディアに対して、ユーザはライフイベントの変化を投稿し、周囲に知らせることが多いから、このようなサーバもライフイベントについての情報を適時に取得するために利用することができる。治療法実施支援サーバ１４０がユーザ情報管理サーバ１３０の機能を備え、ユーザが治療法実施支援サーバ１４０にライフイベントの変化を直接送信するようにしてもよい。
【００５５】
本実施形態においては、まず、本システムのユーザにライフイベントが発生すると、ユーザがユーザ端末１２０を介してライフイベントを特定する情報を入力し（Ｓ５０１）、入力された情報の送信を行うと（Ｓ５０２）、ユーザ情報管理サーバ１３０がこれを受信して、ユーザ情報記憶部３３５に記憶する（Ｓ５０４）。ユーザのイベント情報の入力は、ユーザからの口頭や書類での申告に従って、企業における人事担当者等が当該担当者のユーザ端末を使用して入力してもかまわない。ユーザ情報管理サーバ１３０は、治療法実施支援サーバ１４０へユーザのイベント情報を送信する（Ｓ５０６）。
【００５６】
治療法実施支援サーバ１４０はユーザのイベント情報を取得し（Ｓ５０８）、当該イベント情報に基づいて、衝撃度記憶部３４５を参照して衝撃度を取得する（Ｓ５１０）。さらに、治療法実施支援サーバ１４０は取得されたイベント情報に基づいて準備情報記憶部３４６より準備情報を取得し（Ｓ５１２）、ユーザ端末１２０へ送信する（Ｓ５１４）。ユーザはユーザ端末１２０を介して準備情報の提示を受けると（Ｓ５１６）、これに含まれる認知問合せ情報に対する回答情報を入力し（Ｓ５１８）、治療法実施支援サーバ１４０へ送信する（Ｓ５２０）。
【００５７】
ここでは、治療法実施支援サーバ１４０はユーザの健康関連情報に含まれる連絡先情報からユーザの電子メールアドレスを取得し、ユーザ情報管理サーバ１３０へ準備情報を提示するための治療法実施支援サーバ１４０が提供するウェブページへのリンク情報を電子メールにて送信する。ユーザは、ユーザ端末１２０によってこの電子メールを受信すると、ウェブページへのリンク情報に基づいてウェブページへアクセスし、治療法実施支援サーバ１４０から準備情報を含むウェブページのコンテンツが送信され、これに基づいてユーザ端末１２０において準備情報がユーザに対して提示されるものとする。ユーザは提示された設問情報に対する入力及び送信をウェブページを介して行う。準備情報の送受信は、ウェブページを介さずに、電子メールの送信及びそれに対する返信によって実現してもよいし、チャットアプリケーションやその他のアプリケーションを介して行うこともできる。
【００５８】
治療法実施支援サーバ１４０は、回答情報を受信すると（Ｓ５２２）、これに基づいて、Ｓ５１０において取得された衝撃度に対して補正を行い（Ｓ５２４）、補正された衝撃度に基づいて、このユーザの最大実行可能負荷を決定する（Ｓ５２６）。最大実行可能負荷は、そのユーザが実行可能と推定される最大の治療負荷の大きさを示すものである。この最大実行可能負荷以上の負荷の治療法はユーザが実行できない可能性が高いと考えられ、最大実行可能負荷より小さい負荷であれば、治療によって要求される行動及び行動変容を実行し、治療効果を得られる可能性が高いと考えられる。
【００５９】
治療法実施支援サーバ１４０は、決定された最大実行可能負荷、健康関連情報記憶部３４７に記憶されたユーザの健康関連情報及び治療法情報記憶部３４８に記憶された治療法の負荷に基づいてユーザに提案するための治療法を決定し（Ｓ５２８）、決定された治療法についての情報をユーザ端末１２０へ送信し（Ｓ５３０）、ユーザ端末１２０は受信した情報に基づいて治療法の実施の提案する情報をユーザに提示する（Ｓ５３２）。治療法についての情報は、治療法アプリケーションやそれによって実施される治療法、効果についての説明やアプリケーションのインストール方法等を含むことができる。
【００６０】
治療法の提案を受けたユーザは、治療を受けたいと考える場合には、提示された治療法についての情報に基づいて、治療用アプリケーションを自身のユーザ端末１２０等にインストールして、治療を開始することが可能となる。ユーザへの治療法の提案は、治療用アプリケーションを特定する情報の提示によってその治療用アプリケーションによって実行される治療法の提案としてもよいし、その治療用アプリケーションによって実行可能な複数の治療法のうちの一部の治療法を特定して提案することもできる。
【００６１】
本実施形態においては、標準衝撃度に対して衝撃補正値に基づいて補正された衝撃度を決定し、最大実行可能負荷を決定するものとしたが、衝撃度補正処理を行わず、標準衝撃度に基づいて最大実行可能負荷の推定を行っても本発明は実施可能である。また、標準衝撃度は年齢、性別等のユーザの特性に基づいて決定されてもよい。
【００６２】
本実施形態を用いることにより、ユーザに発生したライフイベントに基づいて推定された最大実行可能負荷を考慮して治療用アプリによる疾病の治療法等を提案することが可能となる。したがって、ユーザは、そのときの実行可能負荷に見合った治療法に従って行動や行動変容を実行することが可能となり、治療法が予定する治療効果を実現することができる。また、ユーザに発生したライフイベントを検出することができるから、その影響によるユーザの最大実行可能負荷をより正確にタイムリーに推定することができる。
【００６３】
［実施例１］
一つの実施例として、喫煙者であるユーザＡに子供の出生というライフイベントが発生した場合を例にとって、本実施形態における情報処理についてより詳細に説明する。ユーザＡが喫煙者であることがすでに定期健康診断等により取得された情報として治療法実施支援サーバ１４０に記録されているものとする。子供が出生したというイベント情報をユーザＡがユーザ端末１２０を介して入力し（Ｓ５０１）、入力された情報の送信を行うと（Ｓ５０２）、ユーザ情報管理サーバ１３０がこれを受信して、ユーザ情報記憶部３３５に記憶する（Ｓ５０４）。ユーザ情報管理サーバ１３０はさらに、治療法実施支援サーバ１４０へユーザＡのイベント情報を送信する（Ｓ５０６）。
【００６４】
治療法実施支援サーバ１４０は、ユーザＡに「子供の出生」というライフイベントが発生したという情報を取得すると（Ｓ５０８）、衝撃度記憶部３４５に記憶されたライフイベント-衝撃度表を参照して、「子供の出生」の衝撃度として「３０」を取得する（Ｓ５１０）。さらに治療法実施支援サーバ１４０は、準備情報記憶部３４６に記憶されたライフイベント-準備情報表を参照して、「子供の出生」のための準備情報として設問「あなたにとってお子さんの出生はどのようなイベントですか」及び回答「切り替わった、どちらともいえない、切り替わらない」を取得する（Ｓ５１２）。
【００６５】
治療法実施支援サーバ１４０は取得された準備情報の提示を提示するためのウェブページのリンク情報を電子メールによって送信し、ユーザはユーザ端末１２０を介して、リンク先のウェブページへアクセスして、準備情報としての設問「あなたにとってお子さんの出生はどのようなイベントですか」及びそれに対する回答枝「前向き」、「どちらともいえない」及び「後ろ向き」の提示を受ける（Ｓ５１６）。
【００６６】
ユーザは回答枝から一つの回答を選択して、これを回答情報として送信すると、治療法実施支援サーバ１４０は、取得された回答情報（Ｓ５２２）に基づいて、衝撃度補正を行う（Ｓ５２４）。前述のとおり、「子供の出生」の衝撃度は「３０」であり、正の衝撃度として定義されているから、一般的には、「子供の出生」というライフイベントが発生する前よりも、ユーザは、治療に対する最大実行可能負荷は上昇していると考えられる。しかしながら、人によって、「子供の出生」が負担の大きいもの等の負の要素であると考えている場合がある。そこで、発生したライフイベントに対するユーザの認知を取得することで、衝撃度を補正して、最大実行可能負荷の推定精度を高めることができる。
【００６７】
本実施例においては、補正後衝撃度は以下の式によって演算するものとする。
〔数２〕
補正後衝撃度 ＝ 標準衝撃度×衝撃度補正値
【００６８】
例えば、ユーザＡの回答が「前向き」である場合には、標準衝撃度（３０）に衝撃度補正値（＋１）を乗算して、補正後衝撃度は３０となるが、ユーザの回答が「後ろ向き」である場合には衝撃度補正値（−１）を乗算するから、補正後衝撃度は−３０となる。
【００６９】
次に、補正後衝撃度に基づいて、最大実行可能負荷を以下の式によって演算する。
〔数３〕
最大実行可能負荷 ＝ 技能値 - 行動変容閾値 / 動機値
〔数４〕
動機値 ＝  基準動機値 + 衝撃度
【００７０】
ここで、技能値はユーザの治療を実行する技能の高さを示す値である。行動変容閾値はユーザが治療による行動変容を行えるかどうかの境界を示す値である。技能値及び行動変容閾値は治療に対する習熟や成人か子供か等によって決定することができる。ユーザの習熟度等が不明の場合には標準値を用いることができる。動機値はユーザの動機の大きさを示す値である。ここでは、数４に示すように、基準動機値に衝撃度を加算することで算出するものとする。基準動機値は標準的な動機の大きさを示す値である。ユーザの状態によって適宜変更することができる。衝撃度は標準衝撃度を用いてもよいし、衝撃度補正処理を行う場合には、補正後衝撃値を用いてもよい。
【００７１】
本実施例においては、標準値として技能値=１００、行動変容閾値=１００、基準動機値=１００とし、補正後衝撃度（３０）を代入して、最大実行可能負荷（９９．２）を得たものとする。治療法実施支援サーバ１４０は、治療法情報記憶部３４８に記憶された治療法表を参照して、演算された最大実行可能負荷(９９．２)よりも小さい治療法からユーザＡの疾病に対応する治療用アプリケーション及び治療法を選択する。ここでは、ユーザＡの健康関連情報に含まれる疾病情報として喫煙習慣に対応する治療法ＩＤ＝０〜２のうち最も負荷の高い治療用アプリＡを用いた治療法αをユーザに提示する治療法として決定する。一般的に、より多くの人に対して、治療成績が高いものは、負荷が高くなりやすい傾向がある。
【００７２】
ここでは、治療負荷の高い治療法を優先的に提案するものとするが、これに限定されるものではない。例えば治療法表が治療効果の大きさを示す指標情報を別途含み、それに基づいて決定することもできる。また、健康関連情報記憶部３４７が疾病の重篤度情報を含み、重篤度の高い疾病に対する治療法を優先的に選択するようにしてもよい。また、単一の治療法のみを選択する必要はなく、最大実行可能負荷以下の治療法から複数の治療法を選択してもよいし、すべてを選択してもよい。
【００７３】
治療法実施支援サーバ１４０は、決定された治療用アプリＡを用いた治療法αを推薦する情報をユーザＡに送信し、ユーザ端末１２０において推薦情報を提示することで、治療用アプリＡを用いた禁煙治療法αの実施を促す。
【００７４】
ユーザＡは子供の出生を前向きに捉えており、子供の出生前に比べて、禁煙治療を行う動機が高くなっていると考えられる。このタイミングを適切に検出し、ユーザの最大実行可能負荷を推定し、実行可能と推定される負荷の禁煙治療法を推薦することにより、ユーザが禁煙治療を開始することを促すとともに、実行可能負荷に見合った治療に従って行動及び行動変容を実行することを可能とする。本実施形態を用いることにより、ユーザが治療法を実施することを支援することができる。
【００７５】
一つの変形例として、治療法実施支援サーバ１４０の健康関連情報等に担当医等の医療従事者のメールアドレス等の連絡先を記憶し、決定された治療用アプリを用いた治療法の情報を、ユーザのユーザ端末１２０に加えて、または、これに代えて、医療従事者の医療従事者端末１６０へ送信してもよい。治療法の提案を受けた医師は、ユーザに対して治療の実施を促すことができる。
【００７６】
［実施例２］
次に、ユーザが負の衝撃度のイベントに遭遇した場合の実施例について説明する。以下、実施例１と異なる点を中心に説明する。治療法実施支援サーバ１４０は、ユーザ健康関連情報として、ユーザＢが脂肪肝を煩っていることを示す情報を保持している。ユーザＢは、「配偶者の死」というライフイベントの発生をユーザ情報管理サーバ１３０に登録する。治療法実施支援サーバ１４０は、ユーザ情報管理サーバ１３０からイベントの情報を受信し、衝撃度記憶部３４５のライフイベント-衝撃度表を参照して配偶者の死の衝撃度「−９０」を取得するとともに、準備情報記憶部３４６より「配偶者の死」に対応付けられた準備情報における設問「気持ちをうまく切り替えることはできていますか」及び回答枝「切り替わった」、「どちらともいえない」及び「切り替わらない」を取得する。
【００７７】
治療法実施支援サーバ１４０はユーザＢのユーザ端末１２０に準備情報を送信し、ユーザＢは設問に対して「切り替わらない」と回答枝を選択して、治療法実施支援サーバ１４０へ送信する。治療法実施支援サーバ１４０は受信した回答に基づいて衝撃度（−９０）に対して、衝撃度補正値（１）を乗算して、補正衝撃度（−９０）を算出する。治療法実施支援サーバ１４０は補正後衝撃度に基づいて最大実行可能負荷（９０）を算出する。治療法表から治療負荷が９０以下の治療法を検索したが、最も負荷が小さい治療法は９３であるため、いずれの治療法も選択されず、ユーザＢへの治療法の選択は行われない。
【００７８】
負のライフイベントが生じると、ユーザの最大実行可能負荷は低下していると推定される。このような場合には、最大実行可能負荷に見合わない負荷を有する治療法の提案を行っても、ユーザは実行することができないと考えられる。本実施例を用いることにより、ユーザの状態に見合わない負荷を有する治療法を提案することを防止することができる。
【００７９】
［変形例］
一つの変形例として、準備情報として、ユーザの認知を正すための認知介入情報を含んでもよい。例えば、ユーザの健康関連情報に含まれるユーザの疾病に関連するユーザの誤った認知を検出し、これを正しい認知に修正するための情報を含むことができる。準備情報としての設問に対する回答を取得する前に、認知介入を行うことができる。認知介入により最大実行可能負荷を高め、より効果の高い治療法を実行させることが可能となる。
【００８０】
一例として、治療を受けたい理由と、受けたくない理由を明らかにし、両者を比較させることで、治療を受けたい理由が受けたくない理由を上回ることを認知させ、実施する動機を高める認知介入を行うことができる。例えば、ユーザ端末１２０は、準備情報に基づいて、禁煙治療が必要なユーザに対して、ユーザが禁煙治療を行いたい理由及び行いたくない理由の入力を指示する情報を提示する。ユーザは、ユーザ端末１２０への入力作業によって、禁煙治療のメリット及びデメリットを明確に認識することができる。
【００８１】
また、ユーザが禁煙治療を行いたい程度を０〜１００までの範囲で入力させ、１００より小さい場合、なぜ禁煙治療を行いたくないのかを入力させてもよい。入力された禁煙治療を行いたい気持ちが１００より小さいものの、０ではない場合には、なぜ禁煙治療を行いたい気持ちが０ではないのかを入力させてもよい。特にライフイベントに関連する動機を明らかにさせることによって、治療に対する動機付けを行うことができる。
【００８２】
治療法実施支援サーバ１４０は認知介入の効果を確認する認知問合せ情報をユーザ端末１２０へ送信してもよい。認知問い合せ情報に対する回答情報に基づいて、認知介入によって認知が正され、動機が高まったことを検出した場合には、衝撃度を正の方向へ高める補正を行うことができる。
【００８３】
［第２の実施形態］
本実施形態においては、治療法実施支援サーバ１４０がユーザに対して実施を提案する治療用アプリを用いた治療法を決定することに代えて、健康関連情報記憶部３４７に記憶されたユーザの健康関連情報に基づいて決定されたユーザが使用する治療用アプリのシステムへ、治療用アプリを用いて実施される治療法の決定に用いるために最大実行可能負荷を提供する点で、第１の実施形態と異なる。以下、第１の実施形態と異なる点を中心に説明する。
【００８４】
本実施形態においては、ユーザが治療用アプリを用いて治療を実施している間に、ライフイベントが生じた場合を想定する。治療法実施支援サーバ１４０は、健康関連情報として、ユーザＣが高血圧を煩っていること、喫煙習慣があること及び高血圧のための治療用アプリＤの治療法φを利用していることを示す情報を記憶している。ユーザＣは、ユーザ端末１２０を介して、ライフイベントとして発生した離婚をユーザ情報管理サーバ１３０に登録する。
【００８５】
治療法実施支援サーバ１４０は、ユーザ情報管理サーバ１３０からイベント情報を受信すると、ライフイベント-衝撃度表を参照して、離婚の衝撃度として−７０を取得する。治療法実施支援サーバ１４０はユーザＣのユーザ端末１２０へ準備情報を送信し、ユーザＣは、ユーザ端末１２０を介して設問「あなたにとって離婚はどのようなイベントですか」に対して「前向き」との回答を入力して、ユーザ情報管理サーバ１３０へ送信した。治療法実施支援サーバ１４０は受信した回答情報に基づいて衝撃度補正値「−１」を取得し、衝撃値を「＋７０」に補正し、これに基づいて最大実行可能負荷「９９．４」を取得する。
【００８６】
治療法実施支援サーバ１４０は、ユーザＣの健康関連情報及び算出された最大実行可能負荷に基づいて治療法を参照し、喫煙及び高血圧に対する治療用アプリないし治療法であるアプリＡを用いた治療法α、アプリＢを用いた治療法β、治療法θ及びアプリＤの治療法ε、φ及び治療法γをユーザへの提案可能治療法として抽出する。治療法実施支援サーバ１４０は既に使用中の治療用アプリＤの治療用アプリケーションサーバ１５０に対して、ユーザＣの最大実行可能負荷を示す情報を送信する。
【００８７】
治療用アプリケーションサーバ１５０は、アプリＤを用いて実施している治療法φより大きい負荷である治療法εの負荷が最大実行可能負荷以下であることを決定し、治療法φに代えて、最大実行可能負荷以内の負荷で最も負荷が高い治療法εに変更することを決定し、ユーザ端末１２０における治療用アプリ機能部３２７に対して治療法の変更を指示する情報を送信する。治療用アプリ機能部３２７は治療法変更の指示に従って、実行する治療法を変更する。
【００８８】
本実施形態を用いることにより、既にユーザが使用している治療用アプリによって実施されている治療法をユーザの状態に応じて、適切な治療法へ変更することが可能となり、ユーザが治療法を実施することを支援することができる。正の衝撃度が与えられるライフイベントが発生した場合には、より高い負荷の治療を実行することが可能となるから、より負荷の高い治療法への変更を行って、より高い治療効果を得ることができる。負の衝撃度が与えられるライフイベントが発生した場合には、ユーザの最大実行可能負荷が低下し、現在行えている治療法を継続できなくなる可能性があるから、ユーザの最大実行可能負荷に見合った治療法へ変更することにより、治療効果は低下するものの、治療の継続を可能とする。
【００８９】
治療法実施支援サーバ１４０は治療用アプリケーションサーバ１５０ではなく、治療用アプリを実行するシステムに含まれる他のいずれの装置へ送信してもよい。例えば、治療用アプリＤがインストールされたユーザ端末１２０に対して、最大実行可能負荷を示す情報を送信し、ユーザ端末１２０における治療用アプリ機能部３２７が治療法の変更を決定するようにしてもよい。
【００９０】
［第３の実施形態］
本実施形態においては、ユーザが負の衝撃度のイベントに遭遇した場合に、健康関連情報記憶部３４７に記憶されたユーザの健康関連情報の既往歴に基づいてアプリの提案を行う点で、第１及び第２の実施形態と異なる。ここでは、ユーザＤが、ユーザ関連情報として、既往歴として喫煙習慣を示す情報が含まれ、アプリＢを用いた治療法βを実施することにより、治癒したことを示す情報が含まれているものとする。また、既往歴には過去に煩った疾病を示す情報に加えて、その疾病が生活習慣病であるか否かを示す情報を含むものとする。
【００９１】
ユーザＤは、離婚というライフイベントが発生したことを示すライフイベント情報をユーザ端末１２０を介してユーザ情報管理サーバ１３０へ登録する。治療法実施支援サーバ１４０は、人事情報システムからライフイベント情報を受信して取得することに応答して、衝撃度記憶部３４５からライフイベント「離婚」の衝撃度「−７０」を取得する。治療法実施支援サーバ１４０はユーザＤのユーザ端末１２０に準備情報を送信し、ユーザＤは準備情報の説明に対する回答をユーザ端末１２０を介して入力、送信する。
【００９２】
ユーザＤの回答情報を受信すると、治療法実施支援サーバ１４０は回答情報に基づいて準備情報記憶部３４６から衝撃度補正値「１」を取得し、補正後衝撃値「−７０」を算出した後、これに基づいてユーザＤの最大実行可能負荷「９６．７」を算出する。治療法実施支援サーバ１４０は治療法表を参照して負荷が１〜９６．７の治療法を検索し、喫煙習慣治療（禁煙治療）用のアプリＢの治療法θ（９４）、脂肪肝用のアプリＣの治療法δ（９３）、高血圧用のアプリＥの治療法γ（９６）、アプリＦの治療法η（９４）を抽出する。
【００９３】
治療法実施支援サーバ１４０はユーザＤの健康関連情報に基づいて、ユーザＤが現在煩っている疾病はないこと、ユーザＤが喫煙習慣を有していたこと、喫煙習慣は生活習慣病であることを決定する。そして、治療法実施支援サーバ１４０は、ユーザＤに発生したライフイベント「離婚」がユーザＤに与えた衝撃度が負の値であるに基づいて、既往症情報において生活習慣病であることを示す情報を含む喫煙習慣に対する治療法を選択することを決定する。ユーザに発生したライフイベントが負の衝撃度を有するか否かは、標準衝撃度に基づいて判断してもよいし、補正後衝撃度を用いて判断してもよい。
【００９４】
治療法実施支援サーバ１４０は、抽出された治療法から喫煙習慣に対する治療法のうち最大実行可能負荷以下の治療法のうち最大の負荷であるアプリＢを用いた治療法θを選択し、ユーザＤのユーザ端末１２０に対して治療法の提示を行うための情報を送信する。または、アプリＢの治療用アプリケーションサーバに対してユーザＤの最大実行可能負荷を示す情報を送信し、治療用アプリケーションサーバがこれに基づいて治療法を決定し、ユーザ端末１２０に対して治療の開始を提案する情報を送信してもよい。
【００９５】
負の衝撃度をもつライフイベントが発生すると、生活習慣病が悪化する傾向が強い。過去に治療を行う等によって改善されたり、治癒した場合であっても、負の衝撃度を持つライフイベントの発生を契機として、喫煙習慣等の健康に悪影響のある行動をとるようになったり、生活習慣病が再発することが考えられる。本実施形態を用いることにより、負の衝撃度を持つライフイベントの発生を検出し、既往歴に基づいて再発リスクの高い生活習慣病に対する治療法を実行させることができる。また、負の衝撃度によって減少していると推定される最大実行可能負荷に基づいて、ユーザが実行可能と推定される治療法を提案することができるから、ユーザは提案された治療法を実行することで、適切な治療を行うことができる。このように本実施形態を用いることにより、ユーザに適した治療法を提案することで治療法の実施支援を行うことができる。
【００９６】
以上に説明した処理又は動作において、あるステップにおいて、そのステップではまだ利用することができないはずのデータを利用しているなどの処理又は動作上の矛盾が生じない限りにおいて、処理又は動作を自由に変更することができる。各装置の機能部は処理又は動作上の矛盾が生じない限りにおいて、いずれの装置に備えられることもできる。また以上に説明してきた各実施例は、本発明を説明するための例示であり、本発明はこれらの実施例に限定されるものではない。本発明は、その要旨を逸脱しない限り、種々の形態で実施することができる。
【符号の説明】
【００９７】
１００  ：システム
１１０  ：ネットワーク
１２０  ：ユーザ端末
１２１  ：プロセッサ
１２２  ：表示装置
１２３  ：入力装置
１２４  ：記憶装置
１２５  ：通信装置
１２８  ：バス
１３０  ：ユーザ情報管理サーバ
１３１  ：プロセッサ
１３２  ：表示装置
１３３  ：入力装置
１３４  ：記憶装置
１３５  ：通信装置
１３８  ：バス
１４０  ：治療法実施支援サーバ
１４１  ：プロセッサ
１４２  ：表示装置
１４３  ：入力装置
１４４  ：記憶装置
１４５  ：通信装置
１４８  ：バス
１５０  ：治療用アプリケーションサーバ
１６０  ：医療従事者端末
３２１  ：制御部
３２２  ：入力部
３２３  ：表示部
３２４  ：通信部
３２５  ：ブラウザ機能部
３２６  ：電子メール機能部
３２７  ：治療用アプリ機能部
３３１  ：制御部
３３２  ：入力部
３３３  ：表示部
３３４  ：通信部
３３５  ：ユーザ情報記憶部
３４１  ：制御部
３４２  ：入力部
３４３  ：表示部
３４４  ：通信部
３４５  ：衝撃度記憶部
３４６  ：準備情報記憶部
３４７  ：健康関連情報記憶部
３４８  ：治療法情報記憶部
【図１】
2022001980.tif 000006
【図２】
2022001980.tif 000007
【図３】
2022001980.tif 000008
【図４】
2022001980.tif 000009
【図５】
2022001980.tif 000010
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ユーザに発生したライフイベントに基づいて治療用アプリを用いた治療法の実施を支援するためのシステムであって、ユーザの健康関連情報を記憶する健康関連情報記憶部、及び複数のライフイベントの各々がユーザに与える衝撃の大きさを示す衝撃度を記憶する衝撃度記憶部を備え、前記システムは、
ユーザに発生したライフイベントを示すライフイベント情報を取得し、
前記ライフイベント情報に基づいて、前記ユーザに発生したライフイベントの衝撃度を前記衝撃度記憶部より取得し、
前記衝撃度に基づいて、ユーザが実行可能と推定される最大実行可能負荷を決定し、
前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、
ことを特徴とするシステム。
【請求項２】
前記システムは更に、
前記ライフイベント情報を取得すると、前記ライフイベントに対するユーザの認知を取得するための認知問合せ情報を提示し、
前記認知問合せ情報に対するユーザの回答情報を取得し、
前記最大実行負荷を決定することは、前記取得されたユーザの回答情報に基づいて前記衝撃度を補正し、当該補正された衝撃度に基づいて最大実行負荷を決定することを含む、
ことを特徴とする請求項１に記載のシステム。
【請求項３】
前記認知問合せ情報は、ユーザの認知を正すための認知介入情報を含む、請求項２に記載のシステム。
【請求項４】
前記最大実行負荷を決定することは、衝撃度に基づいてユーザの動機値を決定し、ユーザの技能を示す技能値及びユーザの動機値に基づいて最大実行可能負荷を決定することを含み、
前記治療用アプリを用いた治療法を決定することは、前記決定された最大実行可能負荷よりも小さい治療負荷を有する治療用アプリを用いた治療法を決定することを含む、請求項２または３に記載のシステム。
【請求項５】
前記最大実行可能負荷を決定することは、下記の数式（１）に基づいて決定され、行動変容閾値は行動変容が発生するための境界を示す値であり、予め定められた定数である、請求項４に記載のシステム。
最大実行可能負荷＝技能値−行動変容閾値／動機値  （１）
【請求項６】
前記決定された治療用アプリを用いた治療法を提案する情報をユーザに提示する、
請求項１〜５に記載のシステム。
【請求項７】
ユーザに発生したライフイベントに基づいて治療用アプリを用いた治療法の実施を支援するためのシステムにおいて実行される方法であって、前記システムは、ユーザの健康関連情報を記憶する健康関連情報記憶部、及び複数のライフイベントの各々がユーザに与える衝撃の大きさを示す衝撃度を記憶する衝撃度記憶部を備え、前記システムが、
ユーザに発生したライフイベントを示すライフイベント情報を取得し、
前記ライフイベント情報に基づいて、前記ユーザに発生したライフイベントの衝撃度を前記衝撃度記憶部より取得し、
前記衝撃度に基づいて、ユーザが実行可能と推定される最大実行可能負荷を決定し、
前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、
ことを含む、ことを特徴とする方法。
【請求項８】
コンピュータに、請求項７の方法を実行させるためのプログラム。
【請求項９】
ユーザに発生したライフイベントに基づいて治療用アプリを用いた治療法の実施を支援するための装置であって、前記システムは、ユーザの健康関連情報を記憶する健康関連情報記憶部、及び複数のライフイベントの各々がユーザに与える衝撃の大きさを示す衝撃度を記憶する衝撃度記憶部を備え、前記装置は、
ユーザに発生したライフイベントを示すライフイベント情報を取得し、
前記ライフイベント情報に基づいて、前記ユーザに発生したライフイベントの衝撃度を前記衝撃度記憶部より取得し、
前記衝撃度に基づいて、ユーザが実行可能と推定される最大実行可能負荷を決定し、
前記最大実行可能負荷、前記健康関連情報記憶部に記憶されたユーザの健康関連情報、及び治療用アプリを用いた治療法の治療負荷に基づいて、ユーザに対して実施を提案する治療用アプリを用いた治療法を決定する、または、前記健康関連情報記憶部に記憶されたユーザの健康関連情報に基づいて決定されたユーザが使用する治療用アプリのシステムへ、当該治療用アプリを用いて実施される治療法の決定に用いるために前記最大実行可能負荷を提供する、
ことを特徴とする装置。